(57)【特許請求の範囲】
【請求項１】
光源および点灯装置を備え前記光源が臨む透光開口を設けた器具本体と、光源の周りを囲い透光開口に臨んで前記器具本体に着脱可能に取り付けられる反射板とを備えた照明器具において、
光源の点灯制御用のセンサ検知部を前記器具本体の透光開口の周縁部近傍に有し、前記反射板に前記センサ検知部が挿通するセンサ挿通孔を有するとともに、前記センサ挿通孔は、前記センサ検知部のセンサ挿通孔挿通時に前記反射板が前記センサ検知部と干渉しないように前記反射板の中央寄りから周縁寄りにかけて連続して設けられ、
前記センサ検知部の前記センサ挿通孔への挿通時に挿通を容易にする挿通容易化装置として、前記器具本体に設けられて前記センサ挿通孔の中央寄りを反射板外方から閉塞して反射面の一部を形成するとともに前記センサ検知部を取り付けたセンサ挿通孔閉塞板を備えたことを特徴とする照明器具。
【請求項２】
光源および点灯装置を備え前記光源が臨む透光開口を設けた器具本体と、光源の周りを囲い透光開口に臨んで前記器具本体に着脱可能に取り付けられる反射板とを備えた照明器具において、
光源の点灯制御用のセンサ検知部を前記器具本体の透光開口の周縁部近傍に有し、前記反射板に前記センサ検知部が挿通するセンサ挿通孔を設け、
前記センサ検知部の前記センサ挿通孔への挿通時に挿通を容易にする挿通容易化装置として、センサ挿通孔挿通時にセンサ検知部がセンサ挿通孔位置に移動するとともに、センサ挿通孔挿通完了時に正規のセンサ検知部位置に位置するように移動可能に前記センサ検知部を器具本体に支持するセンサ検知部支持具を備えたことを特徴とする照明器具。
【請求項３】
センサ挿通孔は反射板の透光開口近傍に設けられ、センサ検知部支持具はセンサ検知部を反射板の内外方出没可能に支持して器具本体の透光開口近傍に設けた請求項２記載の照明器具。
【請求項４】
センサ挿通孔は反射板の光源側中央部近傍に設けられ、センサ検知部支持具は器具本体の光源側から透光開口近傍に延設されてセンサ検知部を反射板の透光開口周縁部近傍と中央部との間で移動可能に支持した請求項２記載の照明器具。
【請求項５】
光源および点灯装置を備え前記光源が臨む透光開口を設けた器具本体と、光源の周りを囲い透光開口に臨んで前記器具本体に着脱可能に取り付けられる反射板とを備えた照明器具において、
光源の点灯制御用のセンサ検知部を前記器具本体の透光開口の周縁部近傍に有し、前記反射板に前記センサ検知部が挿通するセンサ挿通孔を設け、
前記センサ検知部の前記センサ挿通孔への挿通時に挿通を容易にする挿通容易化装置として、反射板に設けられてセンサ検知部のセンサ挿通孔挿通時に反射板内方に移動するとともに、センサ挿通孔挿通完了時に正規の位置に移動してセンサ挿通孔を反射板内方から閉塞して反射面の一部を形成するセンサ挿通孔閉塞板を備えたことを特徴とする照明器具。
【発明の詳細な説明】
【０００１】
【発明の属する技術分野】
この発明は、センサ付き照明器具に関するものである。
【０００２】
【従来の技術】
従来、この種の照明器具は、特開２０００−１８８０１２号に示されているように、器具の透光開口部とは、別の位置にセンサ検知部がついており、センサなしの一般の器具と、全く別意匠および別構成の器具としている。
【０００３】
【発明が解決しようとする課題】
上記のように従来のセンサ付き照明器具では、センサなしの一般の器具と、全く別意匠および別構成の器具としているので、例えば標準のダウンライトを使っている所に併用して使用する場合、器具イメージを合わすことが出来ないという問題があった。また、これに伴い標準のダウンライトの器具本体やその埋め込み穴を利用できず変更する必要があった。
【０００４】
したがって、この発明の目的は、センサ付きの照明器具で、反射板内面にセンサ検知部を設けており、かつ、その反射板が後付けで取り付けられる構造を有する器具で、現行の照明器具と器具イメージを合わすことができ、器具本体や埋め込み穴を利用できる照明器具を提供することである。
【０００５】
【課題を解決するための手段】
上記課題を解決するためにこの発明の請求項１記載の照明器具は、光源および点灯装置を備え前記光源が臨む透光開口を設けた器具本体と、光源の周りを囲い透光開口に臨んで前記器具本体に着脱可能に取り付けられる反射板とを備えた照明器具において、光源の点灯制御用のセンサ検知部を前記器具本体の透光開口の周縁部近傍に有し、前記反射板に前記センサ検知部が挿通するセンサ挿通孔を有するとともに、前記センサ挿通孔は、前記センサ検知部のセンサ挿通孔挿通時に前記反射板が前記センサ検知部と干渉しないように前記反射板の中央寄りから周縁寄りにかけて連続して設けられ、前記センサ検知部の前記センサ挿通孔への挿通時に挿通を容易にする挿通容易化装置として、前記器具本体に設けられて前記センサ挿通孔の中央寄りを反射板外方から閉塞して反射面の一部を形成するとともに前記センサ検知部を取り付けたセンサ挿通孔閉塞板を備えた。
【０００６】
このように、光源の点灯制御用のセンサ検知部を器具本体の透光開口の周縁部近傍に有し、反射板にセンサ検知部が挿通するセンサ挿通孔を有するとともに、センサ挿通孔は、センサ検知部のセンサ挿通孔挿通時に反射板がセンサ検知部と干渉しないように反射板の中央寄りから周縁寄りにかけて連続して設けられ、センサ検知部のセンサ挿通孔への挿通時に挿通を容易にする挿通容易化装置として、器具本体に設けられてセンサ挿通孔の中央寄りを反射板外方から閉塞して反射面の一部を形成するとともにセンサ検知部を取り付けたセンサ挿通孔閉塞板を備えたので、センサ検知部がセンサ挿通孔閉塞板に取り付けてあり、反射板にそのセンサ検知部を挿入できるセンサ挿通孔を有することにより、反射板が後付けで取り付けられる。これにより、現行のセンサなしの照明器具と器具イメージを合わすことができ、器具本体や埋め込み穴を利用できる。また、センサ挿通孔の開口をできるだけ小さく、センサ検知部との隙間をできるだけ、少なくすることができる。この場合、センサ挿通孔とセンサ挿通孔閉塞板の合わせ部は見えるが、孔があいている状態は避けられる。反射板はワンタッチで取付可能である。
【０００９】
請求項２記載の照明器具は、光源および点灯装置を備え前記光源が臨む透光開口を設けた器具本体と、光源の周りを囲い透光開口に臨んで前記器具本体に着脱可能に取り付けられる反射板とを備えた照明器具において、光源の点灯制御用のセンサ検知部を前記器具本体の透光開口の周縁部近傍に有し、前記反射板に前記センサ検知部が挿通するセンサ挿通孔を設け、前記センサ検知部の前記センサ挿通孔への挿通時に挿通を容易にする挿通容易化装置として、センサ挿通孔挿通時にセンサ検知部がセンサ挿通孔位置に移動するとともに、センサ挿通孔挿通完了時に正規のセンサ検知部位置に位置するように移動可能に前記センサ検知部を器具本体に支持するセンサ検知部支持具を備えた。
【００１０】
このように、光源の点灯制御用のセンサ検知部を器具本体の透光開口の周縁部近傍に有し、反射板にセンサ検知部が挿通するセンサ挿通孔を設け、センサ検知部のセンサ挿通孔への挿通時に挿通を容易にする挿通容易化装置として、センサ挿通孔挿通時にセンサ検知部がセンサ挿通孔位置に移動するとともに、センサ挿通孔挿通完了時に正規のセンサ検知部位置に位置するように移動可能にセンサ検知部を器具本体に支持するセンサ検知部支持具を備えたので、センサ検知部がセンサ検知部支持具に取り付けてあり、反射板にそのセンサ検知部を挿入できるセンサ挿通孔を有することにより、反射板が後付けで取り付けられる。これにより、現行のセンサなしの照明器具と器具イメージを合わすことができ、器具本体や埋め込み穴を利用できる。また、センサ挿通孔の開口をできるだけ小さく、センサ検知部との隙間をできるだけ、少なくすることができる。反射板はワンタッチで取付可能である。
【００１１】
請求項３記載の照明器具は、請求項２記載の照明器具において、センサ挿通孔は反射板の透光開口近傍に設けられ、センサ検知部支持具はセンサ検知部を反射板の内外方出没可能に支持して器具本体の透光開口近傍に設けた。
【００１２】
このように、センサ挿通孔は反射板の透光開口近傍に設けられ、センサ検知部支持具はセンサ検知部を反射板の内外方出没可能に支持して器具本体の透光開口近傍に設けたので、請求項２と同様に現行のセンサなしの器具と同デザインで併用して設置できる。また、現行の器具本体の枠を流用でき、反射板等の金型が流用できる。センサ検知部が突出する反射板のセンサ挿通孔が最小にできデザイン性が向上する。さらに、センサ検知部支持具により反射板の落下防止機能を有する。
【００１３】
請求項４記載の照明器具は、請求項２記載の照明器具において、センサ挿通孔は反射板の光源側中央部近傍に設けられ、センサ検知部支持具は器具本体の光源側から透光開口近傍に延設されてセンサ検知部を反射板の透光開口周縁部近傍と中央部との間で移動可能に支持した。
【００１４】
このように、センサ挿通孔は反射板の光源側中央部近傍に設けられ、センサ検知部支持具は器具本体の光源側から透光開口近傍に延設されてセンサ検知部を反射板の透光開口周縁部近傍と中央部との間で移動可能に支持したので、センサ挿通孔は反射板の中央寄りの見えにくい所にあり、外観上問題にならない。反射板を取り付ける際には、センサ検知部支持具によりセンサ検知部をセンサ挿通孔および反射板内面に入れながら挿入していくことで反射板を取り付けることができる。
【００１５】
請求項５記載の照明器具は、光源および点灯装置を備え前記光源が臨む透光開口を設けた器具本体と、光源の周りを囲い透光開口に臨んで前記器具本体に着脱可能に取り付けられる反射板とを備えた照明器具において、光源の点灯制御用のセンサ検知部を前記器具本体の透光開口の周縁部近傍に有し、前記反射板に前記センサ検知部が挿通するセンサ挿通孔を設け、前記センサ検知部の前記センサ挿通孔への挿通時に挿通を容易にする挿通容易化装置として、反射板に設けられてセンサ検知部のセンサ挿通孔挿通時に反射板内方に移動するとともに、センサ挿通孔挿通完了時に正規の位置に移動してセンサ挿通孔を反射板内方から閉塞して反射面の一部を形成するセンサ挿通孔閉塞板を備えた。
【００１６】
このように、光源の点灯制御用のセンサ検知部を器具本体の透光開口の周縁部近傍に有し、反射板にセンサ検知部が挿通するセンサ挿通孔を設け、センサ検知部のセンサ挿通孔への挿通時に挿通を容易にする挿通容易化装置として、反射板に設けられてセンサ検知部のセンサ挿通孔挿通時に反射板内方に移動するとともに、センサ挿通孔挿通完了時に正規の位置に移動してセンサ挿通孔を反射板内方から閉塞して反射面の一部を形成するセンサ挿通孔閉塞板を備えたので、センサ検知部が器具本体に取り付けてあり、反射板にそのセンサ検知部を挿入できるセンサ挿通孔を有することにより、反射板が後付けで取り付けられる。これにより、現行のセンサなしの照明器具と器具イメージを合わすことができ、器具本体や埋め込み穴を利用できる。また、反射板のセンサ挿通孔をセンサ挿通孔閉塞板が覆い、外観上、目立たない。反射板はワンタッチで取付可能である。
【００１９】
【発明の実施の形態】
この発明の第１の実施の形態を図１ないし図３に基づいて説明する。図１はこの発明の第１の実施の形態の照明器具の分解斜視図、図２はこの発明の第１の実施の形態の照明器具の側面図、図３はこの発明の第１の実施の形態において枠部を見上げた一部省略斜視図である。
【００２０】
図１〜３に示すように、この照明器具は、光源および点灯装置を備え光源が臨む透光開口を設けた器具本体１と、光源の周りを囲い透光開口に臨んで器具本体１に着脱可能に取り付けられる反射板２と、光源の点灯制御用のセンサ検知部３とを備えたセンサ付きダウンライトである。センサ検知部３は器具本体１の透光開口の周縁部近傍に設け、反射板２にセンサ検知部３が挿通するセンサ挿通孔４を設け、センサ検知部３のセンサ挿通孔４への挿通時に挿通を容易にする挿通容易化装置を設けている。
【００２１】
センサ挿通孔４は、センサ検知部３のセンサ挿通孔４挿通時に反射板２がセンサ検知部３と干渉しないように反射板２の中央寄りから周縁寄りにかけて連続して設けられている。挿通容易化装置は、器具本体１に設けられてセンサ挿通孔４の中央寄りを反射板２外方から閉塞して反射面の一部を形成するとともにセンサ検知部３を取り付けたセンサ挿通孔閉塞板５を備えている。
【００２２】
この場合、器具本体１の天板にセンサ制御ブロック６が取り付けてあり、器具本体１の透光開口に枠部７を有する。センサ挿通孔閉塞板５は上記のように器具本体１に取り付いている反射板の一部であり、器具本体１の上部から枠部７の内側へ垂下し、その下端内面にセンサ検知部３が取り付けてある。センサ挿通孔４は、センサ検知部３およびセンサ挿通孔閉塞板５を挿入できる切欠きを含む開口である。そして、反射板２を取り付けるときはセンサ挿通孔４をセンサ検知部３へ合わせ取り付けを行う。また、センサ挿通孔閉塞板５の取り付けにおいて、センサ検知部３からのリード線８は、センサ挿通孔閉塞板５の裏面を這わせ、器具本体１の天板付近により、天板の内側へ這わせることにより、目立つことがなく這わせられる。
【００２３】
以上のようにこの実施の形態によれば、センサ検知部３が器具本体１に取り付けてあり、反射板２にそのセンサ検知部３を挿入できるセンサ挿通孔４を有することにより、反射板２が後付けで取り付けられる。これにより、現行のセンサなしの照明器具と器具イメージを合わすことができ、器具本体や埋め込み穴を利用できる。また、センサ挿通孔４とセンサ挿通孔閉塞板５の合わせ部は見えるが、孔があいている状態は避けられる。反射板２はワンタッチで取付可能である。
【００２４】
この発明の第２の実施の形態を図４に基づいて説明する。図４はこの発明の第２の実施の形態の照明器具の分解斜視図である。
【００２５】
図４に示すように、この照明器具は、第１の実施の形態と同様に器具本体１、反射板２およびセンサ検知部３を備えたセンサ付きダウンライトであり、センサ挿通孔４および挿通容易化装置を設けている。挿通容易化装置は、センサ挿通孔挿通時にセンサ検知部３がセンサ挿通孔４位置に移動するとともに、センサ挿通孔挿通完了時に正規のセンサ検知部３位置に位置するように移動可能にセンサ検知部３を器具本体１に支持するセンサ検知部支持具１０である。また、センサ挿通孔４は反射板２の光源側中央部近傍に設けられ、センサ検知部支持具１０は器具本体１の光源側から透光開口近傍に延設されてセンサ検知部３を反射板２の透光開口周縁部近傍と中央部との間で移動可能に支持している。
【００２６】
この場合、センサ検知部支持具１０は、器具本体１に固定されたパイプ状のもので、透光開口近傍まで下りてきており、枠部７に接することなく、若干の隙間をあけ位置している。センサ挿通孔４は反射板２の上方を切欠いて設けてある。図４において、１１はソケット、１２は安定器である。反射板２を取り付ける際には、センサ検知部３をセンサ挿通孔４および反射板２の内面に入れながら、挿入していき反射板２を固定する。
【００２７】
以上のようにこの実施の形態によれば、センサ挿通孔４は反射板２の中央寄りの見えにくい所にあり、外観上問題にならない。すなわち、現状の照明器具が見える範囲の反射板２の下方には切欠きはない。反射板２はワンタッチで取付可能である。
【００２８】
この発明の第３の実施の形態を図５および図６に基づいて説明する。図５はこの発明の第３の実施の形態の照明器具の分解斜視図、図６はこの発明の第３の実施の形態の照明器具の取付説明図である。
【００２９】
図５に示すように、この照明器具は、第１の実施の形態と同様に器具本体１、反射板２およびセンサ検知部３を備えたセンサ付きダウンライトであり、センサ挿通孔４および挿通容易化装置を設けている。挿通容易化装置は、反射板２に設けられてセンサ検知部３のセンサ挿通孔挿通時に反射板２内方に移動するとともに、センサ挿通孔挿通完了時に正規の位置に移動してセンサ挿通孔４を反射板２内方から閉塞して反射面の一部を形成するセンサ挿通孔閉塞板１３から構成されている。
【００３０】
この場合、センサ検知部３は器具本体１の天板と枠部７の内周部を連結した連結片１４の下端に固定され、リード線８を連結片１４に這わせている。センサ検知部３を納めるセンサ挿通孔４は切欠きを含む開口であり、センサ検知部３の上まで延びている。センサ挿通孔閉塞板１３は、ばね性を有する板材を反射板２の形状に沿って設けたものである。反射板２を取り付けるときには、図６に示すように、センサ挿通孔閉塞板１３がセンサ検知部３に当たり、反射板２の内面に押される。センサ検知部３を越え、取付後、反射板２に沿ってセンサ挿通孔閉塞板１３が戻り大きな隙間があかない。
【００３１】
以上のようにこの実施の形態によれば、反射板２のセンサ挿通孔４をセンサ挿通孔閉塞板１３が覆い、外観上、目立たない。反射板２はワンタッチで取付可能である。
【００３２】
この発明の参考例を図７および図８に基づいて説明する。図７はこの発明の参考例の照明器具の分解斜視図、図８はこの発明の参考例の照明器具の取付説明図である。
【００３３】
図７に示すように、この照明器具は、第１の実施の形態と同様に器具本体１、反射板２およびセンサ検知部３を備えたセンサ付きダウンライトであり、センサ挿通孔４および挿通容易化装置を設けている。挿通容易化装置は、反射板２を傾斜させて器具本体１に挿入して、器具本体１の透光開口端部に設けたセンサ検知部３を反射板２の透光開口端部に設けたセンサ挿通孔４に挿通した後、反射板２の光源側端部を正規位置に戻して器具本体１に支持させるように構成されている。
【００３４】
この場合、センサ検知部３は器具本体１の天板と枠部７の内周部を連結した連結片１４の下端に固定されることで、枠部７近傍の透光開口端部近くに配置される。器具本体１の天板と連結片１４には一対の取付ばね１５，１５が設けてある。反射板２は、センサ挿通孔４の他に一方の取付ばね１５を引っ掛けるばね取付用開口１６が設けてある。そして、他方の取付ばね１５による上方への引き上げを行えるように反射板２の上端にばねかかり部１７を設け、このばねかかり部１７とばね取付用開口１６の２箇所で反射板２を取り付ける。なお、図７ではリード線を省略している。反射板２を取り付ける際には、図８に示すように、反射板２はセンサ挿通孔４にセンサ検知部３が対応するように向きを合わせ、矢印Ａで示すように反射板２を斜めに入れ込み、矢印Ｂで示すように一方の取付ばね１５をばね取付用開口１６に入れ、他方の取付ばね１５にばねかかり部１７を引っ掛けるように反射板２が垂直になるように押し入れる。
【００３５】
以上のようにこの参考例によれば、反射板２のセンサ挿通孔４とセンサ検知部３のクリアランスが少なくでき、大きな開口孔などが見えなく、見栄えがよい。反射板２はワンタッチで取付可能である。
【００３６】
この発明の第４の実施の形態を図９ないし図１１に基づいて説明する。図９（ａ）はこの発明の第４の実施の形態の照明器具の断面側面図、（ｂ）はその底面図、図１０はこの発明の第４の実施の形態における反射板の斜視図、図１１はこの発明の第４の実施の形態の要部断面図である。
【００３７】
図９および図１０に示すように、この照明器具は、第１の実施の形態と同様にセンサ検知部３が反射板２の内面に配置するセンサ付きダウンライトにおいて、反射板２を施工時などに着脱する構造のもので、反射板２を取り付ける際に、センサ検知部３がセンサ挿通孔４から待避（退避）する挿通容易化装置を設けている。１９はランプである。
【００３８】
図１１に示すように、挿通容易化装置は、センサ挿通孔挿通時にセンサ検知部３がセンサ挿通孔４位置に移動するとともに、センサ挿通孔挿通完了時に正規のセンサ検知部３位置に位置するように移動可能にセンサ検知部３を器具本体１に支持する圧縮ばねからなるセンサ検知部支持具２０である。この場合、センサ挿通孔４は反射板２の透光開口近傍に設けられ、センサ検知部支持具２０はセンサ検知部３を反射板２の内外方出没可能に支持して器具本体１の透光開口近傍に設けてある。
【００３９】
反射板取付時には、センサ検知部支持具２０のばねが収縮し、センサ検知部３が反射板２により外側に押され一時的に移動する。センサ挿通孔４がセンサ検知部３に達した際にセンサ検知部３がセンサ挿通孔４に挿入し、反射板２内面に配置する。
【００４０】
以上のようにこの実施の形態によれば、現行      のセンサなしの器具と同デザインで併用して設置できる。また、現行の器具本体の枠を流用でき、反射板等の金型が流用できる。センサ検知部３が突出する反射板２のセンサ挿通孔４が最小にできデザイン性が向上する。さらに、センサ検知部支持具２０により反射板２の落下防止機能を有する。
【００４１】
図１２はこの発明の第５の実施の形態の照明器具の説明図である。第４の実施の形態と同様にセンサ検知部３が反射板２の内面に配置するセンサ付きダウンライトにおいて、反射板２を施工時などに着脱する構造のもので、反射板２を取り付ける際に、センサ検知部３がセンサ挿通孔４から待避（退避）する挿通容易化装置を設けている。
【００４２】
挿通容易化装置は、センサ挿通孔挿通時にセンサ検知部３がセンサ挿通孔４位置に移動するとともに、センサ挿通孔挿通完了時に正規のセンサ検知部３位置に位置するように移動可能にセンサ検知部３を器具本体１に支持する板ばねからなるセンサ検知部支持具２１である。この場合、センサ検知部支持具２１のばね固定部２１ａが枠部７に固定されている。ばね固定部２１ａは、枠近傍およびその逆でセンサ検知部３より上方が考えられる。
【００４３】
反射板取付時には、図１２（ｂ）に示すように、センサ検知部支持具２１の板ばねが反り、ばね固定部２１ａを支点に略回動し、センサ検知部３が反射板２により外側に押され一時的に移動する。図１２（ａ）に示すように、センサ挿通孔４がセンサ検知部３に達した際にセンサ検知部３がセンサ挿通孔４に挿入し、反射板２内面に配置する。この実施の形態でも第４の実施の形態と同様の作用効果が得られる。
【００４４】
図１３はこの発明の第６の実施の形態の照明器具の説明図である。第４の実施の形態と同様にセンサ検知部３が反射板２の内面に配置するセンサ付きダウンライトにおいて、反射板２を施工時などに着脱する構造のもので、反射板２を取り付ける際に、センサ検知部３がセンサ挿通孔４から待避（退避）する挿通容易化装置を設けている。
【００４５】
挿通容易化装置は、センサ挿通孔挿通時にセンサ検知部３がセンサ挿通孔４位置に移動するとともに、センサ挿通孔挿通完了時に正規のセンサ検知部３位置に位置するように移動可能にセンサ検知部３を器具本体１に支持するヒンジからなるセンサ検知部支持具２２である。この場合、センサ検知部支持具２２の一方の板片２２ａにセンサ検知部３が固定され、他方の板片２２ｂが枠部７に固定されている。
【００４６】
反射板取付時には、図１３（ｂ）に示すように、センサ検知部支持具２２がそのヒンジを支点に略回動し、センサ検知部３が反射板２により外側に押され一時的に移動する。図１３（ａ）に示すように、センサ挿通孔４がセンサ検知部３に達した際にセンサ検知部３がセンサ挿通孔４に挿入する、または、引き戻す作業を行うことにより、反射板２内面にセンサ検知部３を配置できる。この実施の形態でも第４の実施の形態と同様の作用効果が得られる。
【００４７】
【発明の効果】
この発明の請求項１記載の照明器具によれば、光源の点灯制御用のセンサ検知部を器具本体の透光開口の周縁部近傍に有し、反射板にセンサ検知部が挿通するセンサ挿通孔を有するとともに、センサ挿通孔は、センサ検知部のセンサ挿通孔挿通時に反射板がセンサ検知部と干渉しないように反射板の中央寄りから周縁寄りにかけて連続して設けられ、センサ検知部のセンサ挿通孔への挿通時に挿通を容易にする挿通容易化装置として、器具本体に設けられてセンサ挿通孔の中央寄りを反射板外方から閉塞して反射面の一部を形成するとともにセンサ検知部を取り付けたセンサ挿通孔閉塞板を備えたので、センサ検知部がセンサ挿通孔閉塞板に取り付けてあり、反射板にそのセンサ検知部を挿入できるセンサ挿通孔を有することにより、反射板が後付けで取り付けられる。これにより、現行のセンサなしの照明器具と器具イメージを合わすことができ、器具本体や埋め込み穴を利用できる。また、センサ挿通孔の開口をできるだけ小さく、センサ検知部との隙間をできるだけ、少なくすることができる。この場合、センサ挿通孔とセンサ挿通孔閉塞板の合わせ部は見えるが、孔があいている状態は避けられる。反射板はワンタッチで取付可能である。
【００４９】
請求項２では、光源の点灯制御用のセンサ検知部を器具本体の透光開口の周縁部近傍に有し、反射板にセンサ検知部が挿通するセンサ挿通孔を設け、センサ検知部のセンサ挿通孔への挿通時に挿通を容易にする挿通容易化装置として、センサ挿通孔挿通時にセンサ検知部がセンサ挿通孔位置に移動するとともに、センサ挿通孔挿通完了時に正規のセンサ検知部位置に位置するように移動可能にセンサ検知部を器具本体に支持するセンサ検知部支持具を備えたので、センサ検知部がセンサ検知部支持具に取り付けてあり、反射板にそのセンサ検知部を挿入できるセンサ挿通孔を有することにより、反射板が後付けで取り付けられる。これにより、現行のセンサなしの照明器具と器具イメージを合わすことができ、器具本体や埋め込み穴を利用できる。また、センサ挿通孔の開口をできるだけ小さく、センサ検知部との隙間をできるだけ、少なくすることができる。反射板はワンタッチで取付可能である。
【００５０】
請求項３では、センサ挿通孔は反射板の透光開口近傍に設けられ、センサ検知部支持具はセンサ検知部を反射板の内外方出没可能に支持して器具本体の透光開口近傍に設けたので、請求項２と同様に現行のセンサなしの器具と同デザインで併用して設置できる。また、現行の器具本体の枠を流用でき、反射板等の金型が流用できる。センサ検知部が突出する反射板のセンサ挿通孔が最小にできデザイン性が向上する。さらに、センサ検知部支持具により反射板の落下防止機能を有する。
【００５１】
請求項４では、センサ挿通孔は反射板の光源側中央部近傍に設けられ、センサ検知部支持具は器具本体の光源側から透光開口近傍に延設されてセンサ検知部を反射板の透光開口周縁部近傍と中央部との間で移動可能に支持したので、センサ挿通孔は反射板の中央寄りの見えにくい所にあり、外観上問題にならない。反射板を取り付ける際には、センサ検知部支持具によりセンサ検知部をセンサ挿通孔および反射板内面に入れながら挿入していくことで反射板を取り付けることができる。
【００５２】
請求項５では、光源の点灯制御用のセンサ検知部を器具本体の透光開口の周縁部近傍に有し、反射板にセンサ検知部が挿通するセンサ挿通孔を設け、センサ検知部のセンサ挿通孔への挿通時に挿通を容易にする挿通容易化装置として、反射板に設けられてセンサ検知部のセンサ挿通孔挿通時に反射板内方に移動するとともに、センサ挿通孔挿通完了時に正規の位置に移動してセンサ挿通孔を反射板内方から閉塞して反射面の一部を形成するセンサ挿通孔閉塞板を備えたので、センサ検知部が器具本体に取り付けてあり、反射板にそのセンサ検知部を挿入できるセンサ挿通孔を有することにより、反射板が後付けで取り付けられる。これにより、現行のセンサなしの照明器具と器具イメージを合わすことができ、器具本体や埋め込み穴を利用できる。また、反射板のセンサ挿通孔をセンサ挿通孔閉塞板が覆い、外観上、目立たない。反射板はワンタッチで取付可能である。
【図面の簡単な説明】
【図１】  この発明の第１の実施の形態の照明器具の分解斜視図である。
【図２】  この発明の第１の実施の形態の照明器具の側面図である。
【図３】  この発明の第１の実施の形態において枠部を見上げた一部省略斜視図である。
【図４】  この発明の第２の実施の形態の照明器具の分解斜視図である。
【図５】  この発明の第３の実施の形態の照明器具の分解斜視図である。
【図６】  この発明の第３の実施の形態の照明器具の取付説明図である。
【図７】  この発明の参考例の照明器具の分解斜視図である。
【図８】  この発明の参考例の照明器具の取付説明図である。
【図９】  （ａ）はこの発明の第４の実施の形態の照明器具の断面側面図、（ｂ）はその底面図である。
【図１０】  この発明の第４の実施の形態における反射板の斜視図である。
【図１１】  この発明の第４の実施の形態の要部断面図である。
【図１２】  （ａ）はこの発明の第５の実施の形態の照明器具において反射板取付状態の要部断面図、（ｂ）は反射板取付時の要部断面図である。
【図１３】  （ａ）はこの発明の第６の実施の形態の照明器具において反射板取付状態の要部断面図、（ｂ）は反射板取付時の要部断面図である。
【符号の説明】
１  器具本体
２  反射板
３  センサ検知部
４  センサ挿通孔
５  センサ挿通孔閉塞板
１０  センサ検知部支持具
１３  センサ挿通孔閉塞板
２０  センサ検知部支持具（圧縮ばね）
２１  センサ検知部支持具（板ばね）
２２  センサ検知部支持具（ヒンジ）
【図１】
0003840931.tif 000002
【図２】
0003840931.tif 000003
【図３】
0003840931.tif 000004
【図４】
0003840931.tif 000005
【図５】
0003840931.tif 000006
【図６】
0003840931.tif 000007
【図７】
0003840931.tif 000008
【図８】
0003840931.tif 000009
【図９】
0003840931.tif 000010
【図１０】
0003840931.tif 000011
【図１１】
0003840931.tif 000012
【図１２】
0003840931.tif 000013
【図１３】
0003840931.tif 000014